【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
複数の走査光学装置と、各々の走査光学装置の被走査面に配置され、互いに異なった色の画像を形成する複数の像担持体とを有するカラー画像形成装置において、
更に、色ズレ成分を検知するためのレジ検知手段が主走査方向において有効走査領域内の走査領域中央と有効走査領域端の間の中間像高に２以上配置されており、
主走査方向において、前記走査領域中央と有効走査領域端までの距離をＴ、主走査方向において、前記走査領域中央から前記レジ検知手段の検出位置までの距離をＳとした場合、
０．３｜Ｔ｜＜｜Ｓ｜＜｜Ｔ｜
を満たすような位置に前記レジ検知手段が配置されることを特徴とするカラー画像形成装置。
【請求項２】
前記被走査面上を走査する走査線は、有効走査領域内において、２つ以上の極値を有している請求項１記載のカラー画像形成装置。
【請求項３】
前記複数の走査光学装置の各々は走査線湾曲調整機構を有しており、前記走査線の２つ以上の極値は、該走査線湾曲調整機構により走査線湾曲を調整することによって得ている請求項１又は２記載のカラー画像形成装置。
【請求項４】
前記複数の走査光学装置の各々は走査レンズ系を備えており、前記各走査線湾曲調整機構は、該走査レンズ系を構成するレンズのうち、１以上のレンズをチルト又は／及びシフトして走査線湾曲を調整する調整機構である請求項３記載のカラー画像形成装置。
【請求項５】
前記被走査面上を走査する走査線は、有効走査領域内における走査領域中央から４つの像高Ｓ１、Ｓ２、Ｓ３、Ｓ４の各位置での走査線高さをそれぞれＺｓ１、Ｚｓ２、Ｚｓ３、Ｚｓ４とするとき、
Ｓ１＜Ｓ２＜０＜Ｓ３＜Ｓ４‥‥‥（１）
−０．０２mm≦（Ｚｓ１＋Ｚｓ４）−（Ｚｓ２＋Ｚｓ３）≦０．０２mm‥（２）
なる条件を満足する請求項１記載のカラー画像形成装置。
【請求項６】
前記複数の走査光学装置の各々は走査線湾曲調整機構を有しており、前記条件式（１），（２）を満たすように走査線の湾曲を調整することを特徴とする請求項５記載のカラー画像形成装置。
【請求項７】
前記複数の走査光学装置の各々は走査レンズ系を備えており、前記各走査線湾曲調整機構は、該走査レンズ系を構成するレンズのうち、１以上のレンズをチルト又は／及びシフトして走査線湾曲を調整する調整機構である請求項６記載のカラー画像形成装置。
【請求項８】
外部機器から入力した色信号を異なった色の画像データに変換して各々の走査光学装置に入力せしめるプリンタコントローラを有していることを特徴とする請求項１乃至７のいずれか１項記載のカラー画像形成装置。
【手続補正２】
【補正対象書類名】明細書
【補正対象項目名】００３２
【補正方法】変更
【補正の内容】
【００３２】
【課題を解決するための手段】
請求項１の発明のカラー画像形成装置は、複数の走査光学装置と、各々の走査光学装置の被走査面に配置され、互いに異なった色の画像を形成する複数の像担持体とを有するカラー画像形成装置において、
更に、色ズレ成分を検知するためのレジ検知手段が主走査方向において有効走査領域内の走査領域中央と有効走査領域端の間の中間像高に２以上配置されており、
主走査方向において、前記走査領域中央と有効走査領域端までの距離をＴ、主走査方向において、前記走査領域中央から前記レジ検知手段の検出位置までの距離をＳとした場合、
０．３｜Ｔ｜＜｜Ｓ｜＜｜Ｔ｜
を満たすような位置に前記レジ検知手段が配置されることを特徴としている。
【手続補正３】
【補正対象書類名】明細書
【補正対象項目名】００３３
【補正方法】変更
【補正の内容】
【００３３】
請求項２の発明は、請求項１の発明において、前記被走査面上を走査する走査線は、有効走査領域内において、２つ以上の極値を有していることを特徴としている。
【手続補正４】
【補正対象書類名】明細書
【補正対象項目名】００３４
【補正方法】変更
【補正の内容】
【００３４】
請求項３の発明は、請求項１又は２の発明において、前記複数の走査光学装置の各々は走査線湾曲調整機構を有しており、前記走査線の２つ以上の極値は、該走査線湾曲調整機構により走査線湾曲を調整することによって得ていることを特徴としている。
【手続補正５】
【補正対象書類名】明細書
【補正対象項目名】００３５
【補正方法】変更
【補正の内容】
【００３５】
請求項４の発明は、請求項３の発明において、前記複数の走査光学装置の各々は走査レンズ系を備えており、前記各走査線湾曲調整機構は、該走査レンズ系を構成するレンズのうち、１以上のレンズをチルト又は／及びシフトして走査線湾曲を調整する調整機構であることを特徴としている。
【手続補正６】
【補正対象書類名】明細書
【補正対象項目名】００３６
【補正方法】変更
【補正の内容】
【００３６】
請求項５の発明は、請求項１の発明において、前記被走査面上を走査する走査線は、有効走査領域内における走査領域中央から４つの像高Ｓ１、Ｓ２、Ｓ３、Ｓ４の各位置での走査線高さをそれぞれＺｓ１、Ｚｓ２、Ｚｓ３、Ｚｓ４とするとき、
Ｓ１＜Ｓ２＜０＜Ｓ３＜Ｓ４    ‥‥‥（１）
−０．０２mm≦（Ｚｓ１＋Ｚｓ４）−（Ｚｓ２＋Ｚｓ３）≦０．０２mm‥（２）
なる条件を満足することを特徴としている。
【手続補正７】
【補正対象書類名】明細書
【補正対象項目名】００３７
【補正方法】変更
【補正の内容】
【００３７】
請求項６の発明は、請求項５の発明において、前記複数の走査光学装置の各々は走査線湾曲調整機構を有しており、前記条件式（１），（２）を満たすように走査線の湾曲を調整することを特徴としている。
【手続補正８】
【補正対象書類名】明細書
【補正対象項目名】００３８
【補正方法】変更
【補正の内容】
【００３８】
請求項７の発明は、請求項６の発明において、前記複数の走査光学装置の各々は走査レンズ系を備えており、前記各走査線湾曲調整機構は、該走査レンズ系を構成するレンズのうち、１以上のレンズをチルト又は／及びシフトして走査線湾曲を調整する調整機構であることを特徴としている。
【手続補正９】
【補正対象書類名】明細書
【補正対象項目名】００３９
【補正方法】変更
【補正の内容】
【００３９】
請求項８の発明は、請求項１乃至７のいずれか１項の発明において、外部機器から入力した色信号を異なった色の画像データに変換して各々の走査光学装置に入力せしめるプリンタコントローラを有していることを特徴としている。
【手続補正１０】
【補正対象書類名】明細書
【補正対象項目名】００４０
【補正方法】削除
【補正の内容】
【手続補正１１】
【補正対象書類名】明細書
【補正対象項目名】００４１
【補正方法】削除
【補正の内容】
【手続補正１２】
【補正対象書類名】明細書
【補正対象項目名】００４２
【補正方法】削除
【補正の内容】
【手続補正１３】
【補正対象書類名】明細書
【補正対象項目名】００４３
【補正方法】削除
【補正の内容】
【手続補正１４】
【補正対象書類名】明細書
【補正対象項目名】００４４
【補正方法】削除
【補正の内容】
【手続補正１５】
【補正対象書類名】明細書
【補正対象項目名】００４５
【補正方法】削除
【補正の内容】
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００４８
【補正方法】削除
【補正の内容】
【手続補正１９】
【補正対象書類名】明細書
【補正対象項目名】００４９
【補正方法】削除
【補正の内容】